(57)【特許請求の範囲】
【請求項１】
建物の所定エリアに空気と比重が異なるガスを供給するガス供給・濃度管理システムであって、
前記所定エリアに前記ガスを供給する複数のガス発生器と、
前記ガス発生器のオン・オフ動作を制御する制御装置と、
前記所定エリアに設置された複数のガス濃度センサとを有し、
前記所定エリアには、該所定エリアの床面を基準にして高さ寸法が異なる、複数の高さのセンサ設置位置が設けられており、複数の高さの前記センサ設置位置のいずれにも、前記ガス濃度センサが設置されており、
前記ガス濃度センサは、自身の設置された高さ寸法の位置における前記ガスのガス濃度を検知すると共に、該検知したガス濃度が所定濃度以上であるか否を判定し、該ガス濃度が所定濃度以上であるか否を示す濃度判定信号を出力するようになっており、
前記制御装置は、前記ガス濃度センサから前記濃度判定信号を取得し、該取得した濃度判定信号を用いて、前記ガス発生器のオン・オフ動作を制御するようになっており、
複数の前記ガス発生器は、該ガス発生器毎に、複数の前記ガス濃度センサのいずれかのガス濃度センサに対応付けられており、
前記ガス発生器は、前記制御装置に制御されて、自身に対応付けられた前記ガス濃度センサが出力する濃度判定信号に基づいてオン・オフ動作をするようになっており、さらに、複数の前記ガス発生器は、自身が対応付けられた前記ガス濃度センサが設置された前記センサ設置位置の高さの順番にオフ動作或いはオン動作をするようになっていることを特徴とするガス供給・濃度管理システム。
【請求項２】
建物の所定エリアに空気と比重が異なるガスを供給するガス供給・濃度管理システムであって、
前記所定エリアに前記ガスを供給する複数のガス発生器と、
前記ガス発生器のオン・オフ動作を制御する制御装置と、
前記所定エリアに設置された複数のガス濃度センサとを有し、
前記所定エリアには、該所定エリアの床面を基準にして高さ寸法が異なる、複数の高さのセンサ設置位置が設けられており、複数の高さの前記センサ設置位置のいずれにも、前記ガス濃度センサが設置されており、
前記ガス濃度センサは、自身の設置された高さ寸法の位置における前記ガスのガス濃度を検知すると共に、該検知したガス濃度が所定濃度以上であるか否を判定し、該ガス濃度が所定濃度以上であるか否を示す濃度判定信号を出力するようになっており、
前記制御装置は、前記ガス濃度センサから前記濃度判定信号を取得し、該取得した濃度判定信号を用いて、前記ガス発生器のオン・オフ動作を制御するようになっており、
複数の前記ガス発生器は、該ガス発生器毎に、複数の前記ガス濃度センサのいずれかのガス濃度センサに対応付けられており、
前記ガス濃度センサは、設置されている高さ寸法の位置における前記ガス濃度が所定濃度以上であることを検知した場合に第１の濃度判定信号を出力し、該設置されている高さ寸法の位置におけるガス濃度が所定濃度未満であると検知した場合に第２の濃度判定信号を出力し、
前記ガス発生器は、動作している最中に自身に対応付けられている前記ガス濃度センサが出力する濃度判定信号が前記第１の濃度判定信号であるときには、前記制御装置に制御されて該動作を停止してガスの供給を止めて、停止している最中に前記ガス濃度センサが出力する濃度判定信号が前記第２の濃度判定信号であるときには、前記制御装置に制御されてオン動作を開始してガスを発生させて前記ダクトの内部を流れる空気に該ガスを混入するようになっており、
さらに、複数の前記ガス発生器は、自身が対応付けられた前記ガス濃度センサが設置された前記センサ設置位置の高さの順番にオフ動作或いはオン動作をするようになっていることを特徴とするガス供給・濃度管理システム。
【請求項３】
前記建物の所定エリアは、空調機に接続されたダクトを介して該空調機から送風される空気が供給されるようになっており、
複数の前記ガス発生器は、前記ダクトの内部を流れる空気に前記発生させたガスを混入することにより、前記所定エリアに前記ガスを供給するようになっていることを特徴とする請求項１又は２に記載のガス供給・濃度管理システム。
【請求項４】
前記ガス発生器は、オゾンガス発生器であり、
前記ガスがオゾンガスであることを特徴とする請求項１〜３のいずれかに記載のガス供給・濃度管理システム。
【請求項５】
複数の前記ガス濃度センサは、
前記センサ設置位置には、少なくとも、前記床面を基準にして第１の高さ寸法の設置位置と、前記第１の高さ寸法よりも高い第２の高さ寸法の設置位置と、前記第２の高さ寸法よりも高い第３の高さ寸法の設置位置とが含まれていることを特徴とする請求項１〜４のいずれかに記載のガス供給・濃度管理システム。
【発明の詳細な説明】
【技術分野】
【０００１】
本発明は、ガス供給・濃度管理システムに関し、例えば、大型施設の建物の所定エリアの空間内に、空気と異なる比重のガスを供給するガス供給・濃度管理システムに関する。
【背景技術】
【０００２】
従来から、住宅の室内やトイレ等のエリアにおいて、脱臭や除菌を目的として、空気中にオゾンガスを供給するオゾンガス発生器が用いられている。
このオゾンガス発生器には、いくつかの方式のものがある。例えば、特許文献１には、オゾン源となる酸素を含む原料ガスに、所定範囲の波長の紫外線を照射してオゾンガスを発生させる構成のものが開示されている。
【０００３】
具体的には、特許文献１に記載のオゾンガス発生器は、紫外線を透過する透光性部材を有し且つ酸素を含む原料ガスが流通する原料ガス流路を形成する原料ガス流路機構と、原料ガス流路を流通する原料ガスに、透光性部材を介して紫外線を照射する紫外線光源と、透光性部材のなかの原料ガスとの接触面を冷却する冷却機構とを備えている。なお、上記の紫外線光源は、単管型の放電容器を有している。また、上記の透光性部材は、紫外線光源から離間して放電容器を取り囲み、放電容器と同方向に伸びる管状に形成されている。
【先行技術文献】
【特許文献】
【０００４】
【特許文献１】特開２０１８−２０９３９号公報
【発明の概要】
【発明が解決しようとする課題】
【０００５】
ところで、オゾンガスは、環境基準（日本産業衛生学会  作業環境許容濃度）により、空気中の濃度が０．１ｐｐｍを超えないことが求められている。また、オゾンガスは、比重が空気より重いため（比重が空気と異なっているため）、特に、不特定多数の人が多く集まる大型施設等の建物内の大きなエリア（百貨店やスーパ等のフロアー、展示ホール、イベントホール、ライブハウス、劇場、遊技場ホール等のエリア）において、オゾンガスの濃度管理をしながら供給することが困難であるという特性を有している。
そのため、オゾンガスが脱臭や除菌に優れた効果を発揮することが知られているにも関わらず、現状において、不特定多数の人が多く集まる施設の建物内の大きなエリア（空間）等において、オゾンガスの濃度を管理しながら、オゾンガスを供給することは行われておらず、そのための装置やシステムも知られていない。
なお、空気中の脱臭や除菌に用いられる市販されているオゾンガス発生器は、不特定多数の人が多く集まることがない、住宅の室内やトイレ等の比較的に狭い空間において用いられているものが多く、オゾンガスの濃度を監視する必要がないレベルの微小量のオゾンガスを供給している。
【０００６】
本発明は、上記課題に鑑みてなされてものであり、その目的は、空気と異なる比重のガスのガス濃度の管理を行いながら、建物の所定エリアに当該ガスを供給するガス供給・濃度管理システムを提供することにある。
【課題を解決するための手段】
【０００７】
上記課題を解決するためになされた本発明は、建物の所定エリアに空気と比重が異なるガスを供給するガス供給・濃度管理システムであって、前記所定エリアに前記ガスを供給する複数のガス発生器と、前記ガス発生器のオン・オフ動作を制御する制御装置と、前記所定エリアに設置された複数のガス濃度センサとを有し、前記所定エリアには、該所定エリアの床面を基準にして高さ寸法が異なる、複数の高さのセンサ設置位置が設けられており、複数の高さの前記センサ設置位置のいずれにも、前記ガス濃度センサが設置されており、前記ガス濃度センサは、自身の設置された高さ寸法の位置における前記ガスのガス濃度を検知すると共に、該検知したガス濃度が所定濃度以上であるか否を判定し、該ガス濃度が所定濃度以上であるか否を示す濃度判定信号を出力するようになっており、前記制御装置は、前記ガス濃度センサから前記濃度判定信号を取得し、該取得した濃度判定信号を用いて、前記ガス発生器のオン・オフ動作を制御するようになっており、複数の前記ガス発生器は、該ガス発生器毎に、複数の前記ガス濃度センサのいずれかのガス濃度センサに対応付けられており、前記ガス発生器は、前記制御装置に制御されて、自身に対応付けられた前記ガス濃度センサが出力する濃度判定信号に基づいてオン・オフ動作をするようになっており、さらに、複数の前記ガス発生器は、自身が対応付けられた前記ガス濃度センサが設置された前記センサ設置位置の高さの順番にオフ動作或いはオン動作をするようになっていることを特徴とする。
【０００８】
このように、本発明のガス供給・濃度管理システムでは、空気と比重が異なるガスを供給する所定エリアに、床面を基準にして高さ寸法が異なる、複数の高さのセンサ設置位置が設けられ、複数の高さのセンサ設置位置のいずれにも、ガス濃度センサが設置されている。そして、各ガス濃度センサが設置された高さ寸法の位置におけるガス濃度が所定濃度以上であるか否を判定するようになっている。また、制御装置が、各ガス濃度センサが判定した濃度判定信号を用いて、ガス発生器のオン・オフ動作を制御している。
この構成によれば、床面からの高さが異なる複数の位置において、それぞれ、ガス濃度が所定濃度以上であるか否かを監視して、監視結果に基づいてガス発生器のオン・オフ動作を制御できる。そのため、本発明によれば、特定多数の人が多く集まる施設の建物内の大きなエリア（空間）に空気と異なる比重のガスを供給する場合において、すなわち、ガス濃度が高さ位置によりばらついて濃度管理が困難な環境においても、所定濃度条件を満たすようにガスの供給を行うことができる。
【０００９】
また、前記建物の所定エリアは、空調機に接続されたダクトを介して該空調機から送風される空気が供給されるようになっており、複数の前記ガス発生器は、前記ダクトの内部を流れる空気に前記発生させたガスを混入することにより、前記所定エリアに前記ガスを供給するようになっていることが望ましい。
【００１０】
上記の構成によれば、ガスは、空調システムのダクトを流れる空気（例えば、熱交換されて冷却された空気、或いは加熱して暖められた空気）に混入された状態で建物の所定エリアに供給される。そのため、本発明によれば、大きなエリア（百貨店やスーパ等のフロアー、展示ホール、イベントホール、ライブハウス、劇場、遊技場ホール等のエリア）に対して、空気の除菌及び脱臭を効果的に行うことができる。
なお、大型施設等の建物内の大きなエリア（百貨店やスーパ等のフロアー、展示ホール、イベントホール、ライブハウス、劇場、遊技場ホール等のエリア）に対して、ガス発生器から直接ガスを供給（ファンで噴出して供給）する方法もあるが、この場合、ガス発生器に大型のファンを設ける必要がある。一方、本発明のように、上記の構成を採用した場合、空調システムのダクトに、ガスを注入すれば良く、ガス発生器毎に大型のファンを設ける必要がない。また、本発明の構成によれば、所定エリアに対してガス発生器から直接ガスを供給する場合と比べて、所定エリアの全域に対してムラなくガスを供給することができる。
さらに、上記の構成によれば、大型施設等の建物内の大きなエリアであっても、既存の「ダクトを備えた空調システム」があれば、後付けで設置するこができるため、コストを抑えて、オゾンガスによる除菌及び脱臭が実現できる。
【００１１】
また、本発明は、建物の所定エリアに空気と比重が異なるガスを供給するガス供給・濃度管理システムであって、前記所定エリアに前記ガスを供給する複数のガス発生器と、前記ガス発生器のオン・オフ動作を制御する制御装置と、前記所定エリアに設置された複数のガス濃度センサとを有し、前記所定エリアには、該所定エリアの床面を基準にして高さ寸法が異なる、複数の高さのセンサ設置位置が設けられており、複数の高さの前記センサ設置位置のいずれにも、前記ガス濃度センサが設置されており、前記ガス濃度センサは、自身の設置された高さ寸法の位置における前記ガスのガス濃度を検知すると共に、該検知したガス濃度が所定濃度以上であるか否を判定し、該ガス濃度が所定濃度以上であるか否を示す濃度判定信号を出力するようになっており、前記制御装置は、前記ガス濃度センサから前記濃度判定信号を取得し、該取得した濃度判定信号を用いて、前記ガス発生器のオン・オフ動作を制御するようになっており、複数の前記ガス発生器は、該ガス発生器毎に、複数の前記ガス濃度センサのいずれかのガス濃度センサに対応付けられており、前記ガス濃度センサは、設置されている高さ寸法の位置における前記ガス濃度が所定濃度以上であることを検知した場合に第１の濃度判定信号を出力し、該設置されている高さ寸法の位置におけるガス濃度が所定濃度未満であると検知した場合に第２の濃度判定信号を出力し、前記ガス発生器は、動作している最中に自身に対応付けられている前記ガス濃度センサが出力する濃度判定信号が前記第１の濃度判定信号であるときには、前記制御装置に制御されて該動作を停止してガスの供給を止めて、停止している最中に前記ガス濃度センサが出力する濃度判定信号が前記第２の濃度判定信号であるときには、前記制御装置に制御されてオン動作を開始してガスを発生させて前記ダクトの内部を流れる空気に該ガスを混入するようになっており、さらに、複数の前記ガス発生器は、自身が対応付けられた前記ガス濃度センサが設置された前記センサ設置位置の高さの順番にオフ動作或いはオン動作をするようになっていることを特徴とする。
【００１２】
このように、本発明では、各ガス発生器は、複数のガス濃度センサのうちのいずれかに対応付けられている。そして、各ガス発生器は、自身が対応付けられているガス濃度センサが検知したガス濃度が所定濃度以上であるか否を判定した濃度判定信号（設置位置のガス濃度が所定濃度以上であるか否を検知した検知信号）に基づいて、オン・オフ動作を行うというシンプルな制御になっている。すなわち、本発明は、システム構成が簡素化でき、且つ面倒な設定作業が不要であるため、安価にシステムを構成することができる。
【００１３】
また、前記ガス発生器は、オゾンガス発生器であり、前記ガスがオゾンガスであることが望ましい。
【００１４】
上記の構成を採用したのは以下の理由による。
本発明において、ガス発生器を動作させて所定エリアにオゾンガスを供給している最中に、所定エリアのガス濃度が上昇している状態のときには、空気より比重が重いオゾンガスのガス濃度は、床面からの高さ寸法が低い位置から順次に大きな値になっていく。
一方、複数のガス発生器のうちのいずれかだけを動作させて（或いは、全てを停止させて）いる最中に、所定エリアのガス濃度が減少している状態のときには、床面からの高さ寸法が高い位置からガス濃度が順次に小さな値になっていく。
【００１５】
そのため、例えば、複数のガス発生器を全て動作させて所定エリアにオゾンガスを供給している最中において、所定エリアのガス濃度が上昇している状態のときには、最初に、高さ寸法が一番低い位置（第１の高さ寸法の位置）に設置されたガス濃度センサが所定濃度以上であることを判定し、第１の濃度判定信号を出力する。この際、制御装置は、一番低い位置に設置されたガス濃度センサが出力する第１の濃度判定信号に基づいて、一番低い位置に設置されたガス濃度センサに対応付けられているガス発生器の動作を停止させる。これにより、所定エリアのガス濃度の上昇が抑えられる（或いは、上昇率が緩やかになる）。
また、上記のガス発生器の動作を停止させても、ガス濃度の上昇が続く場合には、次に、高さ寸法が二番目に低い位置（第２の高さ寸法の位置）に設置されたガス濃度センサが所定濃度以上であることを判定して、第１の濃度判定信号を出力する。この際、制御装置は、二番目に低い位置に設置されたガス濃度センサが出力する第１の濃度判定信号に基づいて、二番目に低い位置に設置されたガス濃度センサに対応付けられているガス発生器の動作を停止させる。これにより、さらにガス濃度の上昇が抑えられる。
その後、例えば、所定エリアのガス濃度が減少に転じた場合には、高さ寸法が二番目に低い位置（第２の高さ寸法の位置）に設置されたガス濃度センサが所定濃度未満であることを判定して第２の検知信号を出力するようになる。この際、制御装置は、二番目に低い位置に設置されたガス濃度センサが出力する第２の濃度判定信号に基づいて、二番目に低い位置に設置されたガス濃度センサに対応付けられているガス発生器の動作を開始させる。
なお、二番目に低い位置に設置されたガス濃度センサに対応付けられているガス発生器の動作を停止させても、ガス濃度が上昇する場合には、高さ寸法が三番目に低い位置（第３の高さ寸法の位置）に設置されたガス濃度センサが所定濃度以上であることを判定して、三番低い位置に設置されたガス濃度センサに対応付けられているガス発生器の動作を停止させる。
【００１６】
このように、本発明によれば、床面からの高さが異なる複数の位置において（複数の高さのポイントで）、ガス濃度をモニタリングして、ガス発生器のオン・オフ動作を制御しているため、特定多数の人が多く集まる施設の建物内の大きなエリア（空間）等においても、オゾンガス濃度が、所定濃度条件を満たすように、オゾンガスを供給することができる。
【発明の効果】
【００１７】
本発明によれば、空気と異なる比重のガスのガス濃度の管理を行いながら、建物の所定エリアに当該ガスを供給するガス供給・濃度管理システムを提供することができる。
【図面の簡単な説明】
【００１８】
【図１】本発明の実施形態のガス供給・濃度管理システムの全体構成を示した模式図である。
【図２】本発明の本実施形態のガス供給・濃度管理システムを構成するオゾンガス発生器と、オゾンガス発生器のオン・オフ動作を制御する制御装置と、オゾンガス濃度センサ及び通信機器との接続関係を説明するための模式図である。
【発明を実施するための形態】
【００１９】
以下、本発明の実施形態のガス供給・濃度管理システムについて図面を用いて説明する。
【００２０】
ここで、図１は、本実施形態のガス供給・濃度管理システムの全体構成を示した模式図である。また、図２は、本実施形態のガス供給・濃度管理システムを構成するオゾンガス発生器と、オゾンガス発生器のオン・オフ動作を制御する制御装置と、オゾンガス濃度センサ及び通信機器との接続関係を説明するための模式図である。
【００２１】
なお、本発明の実施形態では、一例として、ガス供給・濃度管理システムが、建物の所定エリア（空間）Ｓに、空気と異なる比重のオゾンガスを供給する場合について説明するが、特にこれに限定されるものではない。オゾンガス以外のガスであっても本発明に適用される。
また、本実施形態では、所定エリアＳが「百貨店やスーパ等の売り場フロアー、展示ホール、イベントホール、ライブハウス、劇場、遊技場ホール等の不特定多数の人が多く集まる大きなエリア（空間）である場合」を例にしている。
【００２２】
《ガス供給・濃度管理システムの概略構成》
先ず、本実施形態のガス供給・濃度管理システムの概略構成について説明する。
図１に示すように、本実施形態のガス供給・濃度管理システムは、建物の所定エリアＳに空気より比重が重いオゾンガスを供給するものであって、複数のオゾンガス発生器１０（１０ａ、１０ｂ、１０ｃ１、１０ｃ２、１０ｄ、１０ｅ）と、オゾンガス発生器１０のオン・オフ動作を制御する制御装置２０（２０ａ、２０ｂ、２０ｃ１、２０ｃ２、２０ｄ、２０ｅ）と、複数のオゾンガス濃度センサ３０（３０ａ、３０ｂ、３０ｃ、３０ｄ、３０ｅ）と、複数の通信機器４０（４０ａ、４０ｂ、４０ｃ、４０ｄ、４０ｅ）とを有している。
【００２３】
なお、図示する例では、「オゾンガス発生器１０ａ」が「オゾンガス濃度センサ３０ａ」に対応付けられ、「オゾンガス発生器１０ｂ」が「オゾンガス濃度センサ３０ｂ」に対応付けられ、「オゾンガス発生器１０ｃ１及びオゾンガス発生器１０ｃ２」が「オゾンガス濃度センサ３０ｃ」に対応付けられ、「オゾンガス発生器１０ｄ」が「オゾンガス濃度センサ３０ｄ」に対応付けられ、「オゾンガス発生器１０ｅ」が「オゾンガス濃度センサ３０ｅ」に対応付けられている。
【００２４】
また、建物の所定エリアＳは、熱交換器１（１ａ、１ｂ）に接続されたダクト３を介して熱交換器１から送風される空気（熱交換された空気）が供給されるようになっている。また、各オゾンガス発生器１０は、オゾンガスを発生させ、ダクト３の内部を流れる空気（熱交換された空気）に発生させたオゾンガスを混入することにより、所定エリアＳにオゾンガスを供給するようになっている。
【００２５】
また、オゾンガスが供給される所定エリアＳには、床面ＦＬを基準にして高さ寸法が異なる、複数の高さのセンサ設置位置が定められている（３つの高さのセンサ設置位置が設けられている）。また、いずれの高さのセンサ設置位置にもオゾンガス濃度センサ３０が設置されており、所定エリアＳのなかの高さの異なる位置のオゾンガス濃度をモニタリングできるようになっている。
【００２６】
また、オゾンガス濃度センサ（以下、「ガス濃度センサ」という）３０は、それぞれ、自身の設置された高さ寸法の位置におけるオゾンガスのガス濃度（オゾンガス濃度）を検知すると共に、検知したガス濃度が所定濃度以上であるか否を判定し、制御装置２０との間で通信を行うように設定されている通信機器４０に、オゾンガス濃度が所定濃度以上であるか否を示す濃度判定信号を出力するようになっている。
【００２７】
また、制御装置２０は、通信機器４０を介して、ガス濃度センサ３０から濃度判定信号を取得し、その取得した濃度判定信号を用いて、ガス発生器１０のオン・オフ動作を制御するようになっている。
なお、本実施形態では、制御装置２０ａが、ガス発生器１０ａに対応付けられているガス濃度センサ３０ａが出力する濃度判定信号を用いてガス発生器１０ａのオン・オフ動作を制御するようになっている。また、制御装置２０ｂが、ガス発生器１０ｂに対応付けられているガス濃度センサ３０ｂが出力する濃度判定信号を用いてガス発生器１０ｂのオン・オフ動作を制御するようになっている。制御装置２０ｃ１が、ガス発生器１０ｃ１に対応付けられているガス濃度センサ３０ｃが出力する濃度判定信号を用いてガス発生器１０ｃ２のオン・オフ動作を制御するようになっている。制御装置２０ｃ２が、ガス発生器１０ｃ２に対応付けられているガス濃度センサ３０ｃが出力する濃度判定信号を用いてガス発生器１０ｃ２のオン・オフ動作を制御するようになっている。制御装置２０ｄが、ガス発生器１０ｄに対応付けられているガス濃度センサ３０ｄが出力する濃度判定信号を用いてガス発生器１０ｄのオン・オフ動作を制御するようになっている。制御装置２０ｅが、ガス発生器１０ｅに対応付けられているガス濃度センサ３０ｅが出力する濃度判定信号を用いてガス発生器１０ｄのオン・オフ動作を制御するようになっている。
【００２８】
このように、本実施形態では、床面ＦＬからの高さが異なる複数のセンサ設置位置において、それぞれ、オゾンガス濃度が所定濃度以上であるか否かを監視して、オゾンガス発生器１０のオン・オフ動作を制御している。そのため、本実施形態によれば、特定多数の人が多く集まる施設の建物内の大きなエリア（空間）に対しても、オゾンガスのガス濃度の値が大きくなり過ぎないように管理しながら、オゾンガスの供給を行うことができる。
【００２９】
また、本実施形態では、各オゾンガス発生器１０は、自身に対応付けられているガス濃度センサ３０が出力する濃度判定信号（設置位置のオゾンガス濃度が所定濃度以上であるか否を判定した信号）に基づいて、オン・オフ動作を行うというシンプルな制御になっている。すなわち、本実施形態は、システム構成が簡易であり、且つ面倒な設定作業が不要であるため、安価にシステムを構成することができる。
以下、本実施形態の各部の構成について詳細に説明する。
【００３０】
《ガス供給・濃度管理システムの設置環境》
先ず、本実施形態のガス供給・濃度管理システムの設置環境について説明する。
ガス供給・濃度管理システムが設置される建物の所定エリアＳは、２台の熱交換器１ａ、１ｂに接続されたダクト３を介して熱交換器１ａ、１ｂから送風される空気（熱交換された空気）が供給されるようになっている。図１に示す例では、建物の所定エリアＳの室外（屋外）に、床置ダクトタイプのエアコン（空調機）で構成された、２台の熱交換器１ａ、１ｂが設置されている。
【００３１】
具体的には、熱交換器１ａには、所定エリアＳの壁面に設けられた吸入口（排気口）５ａに接続されたダクト３ａ１と、所定エリアＳの天井面に設けられた吹出口（吸気口）４ａ１、４ａ２に接続されたダクト３ａ２とが接続されている。そして、熱交換器１ａは、ダクト３ａ１を介して吸入口５ａから所定エリアＳの空気を吸入し、吸入した空気を熱交換して（冷却或いは加熱して）、ダクト３ａ２を介して吹出口４ａ１、４ａ２から熱交換した空気を吹き出すようになっている。
また、熱交換器１ｂには、所定エリアＳの壁面に設けられた吸入口（排気口）５ｂに接続されたダクト３ｂ１と、所定エリアＳの天井面に設けられた吹出口（吸気口）４ｂ１、４ｂ２に接続されたダクト３ｂ２とが接続されている。熱交換器１ｂは、ダクト３ｂ１を介して空気吸入口５ｂから所定エリアＳの空気を吸入し、吸入した空気を熱交換して（冷却或いは加熱して）、ダクト３ａ２を介して吹出口４ｂ１、４ｂ２から熱交換した空気を吹き出すようになっている。
なお、熱交換器１ａ、１ｂは、市販の床置ダクトタイプのエアコンであるため、詳細な説明を省略する。
【００３２】
《オゾンガス発生器１０》
次に、オゾンガス発生器１０（１０ａ、１０ｂ、１０ｃ１、１０ｃ２、１０ｄ、１０ｅ）の説明を行う（図１参照）。
オゾンガス発生器１０ａ、１０ｂ、１０ｃ１は、建物の所定エリアＳの室外に設置されており、オゾンガスを発生させると共に、熱交換器１ａに接続されたダクト３ａ２の内部に流れる空気（熱交換された熱交換器１ａから送り出された空気）に、発生したオゾンガスを混入する。また、オゾンガス発生器１０ｄ、１０ｅ、１０ｃ２は、所定エリアＳの室外に設置されており、オゾンガスを発生させると共に、熱交換器１ｂに接続されたダクト３ｂ２の内部に流れる空気（熱交換された熱交換器１ａから送り出された空気）に、発生したオゾンガスを混入する。
【００３３】
具体的には、図２に示すように、オゾンガス発生器１０（１０ａ、１０ｂ、１０ｃ１、１０ｃ２、１０ｄ、１０ｅ）は、オゾンガスを発生させる装置本体部１１と、熱交換器１（１ａ、１ｂ）に接続されたダクト３（３ａ２、３ｂ２）の内部にオゾンガスを注入するためのオゾンガス注入管１３とを備えている。
【００３４】
装置本体部１１は、オゾンガスを発生させるオゾンガス発生機構（図示せず）と、発生させたオゾンガスを吹き出す吹出口１１ａとを備えている。
また、オゾンガス注入管１３は、一端部が装置本体部１１の吹出口１１ａに接続されており、他端部側がダクト３（３ａ２、３ｂ２）に貫通してダクト３の内部と連通している。そして、装置本体部１１の吹出口１１ａから噴き出されるオゾンガスが、オゾンガス注入管１３を通ってダクト３（３ａ２、３ｂ２）に注入されて、ダクト３（３ａ２、３ｂ２）の内部（管内）を流れる空気にオゾンガスが混入されるようになっている。
【００３５】
なお、装置本体部１１は、オゾンガスを発生させ、その発生させたオゾンガスを吹き出す機能を備えていれば良く、周知技術の構成のものを用いることができる。また、オゾンガス発生機構（図示せず）は、上述した従来技術のような紫外線ランプ方式の構成であっても良いし、無声放電方式の構成であっても良い。
なお、例えば、オゾンガス発生器１０には、『株式会社タムラテコ社製』（Ala Cleantターボ）や（Bactecter HK３）や『オーニット株式会社社製』（GWN-2000S）等を用いることができる。
【００３６】
《制御装置２０》
次に、制御装置２０（２０ａ、２０ｂ、２０ｃ１、２０ｃ２、２０ｄ、２０ｅ）の説明を行う（図１参照）。
なお、本実施形態では、制御装置２０ａがオゾンガス発生器１０ａのオン・オフ動作を制御し、制御装置２０ｂがオゾンガス発生器１０ｂのオン・オフ動作を制御し、制御装置２０ｃ１がオゾンガス発生器１０ｃ１のオン・オフ動作を制御し、制御装置２０ｃ２がオゾンガス発生器１０ｃ２のオン・オフ動作を制御し、制御装置２０ｄがオゾンガス発生器１０ｄのオン・オフ動作を制御し、制御装置２０ｅがオゾンガス発生器１０ｅのオン・オフ動作を制御するようになっている。
【００３７】
具体的には、図２に示すように、制御装置２０は、通信制御部２１と、オゾンガス発生器１０に供給する電力のオン・オフ制御をするスイッチ装置２３とを備えている。
【００３８】
上記の通信制御部２１は、ガス濃度センサ３０毎に設けられた通信機器４０（後述する）を介して、ガス濃度センサ３０が出力した濃度判定信号を受信する無線通信回路（図示せず）と、スイッチ装置２３に対して無線通信回路が受信した濃度判定信号に応じて制御信号（オン制御信号及びオフ制御信号）を送信する制御回路（図示せず）とを備えている。
具体的には、上記の制御回路は、上記の無線通信回路が受信した濃度判定信号が「ガス濃度が所定濃度（指定数値）以上であることを示す信号（第１の濃度判定信号）」の場合には、スイッチ装置２３に、オフ制御信号を送信する。また、上記の制御回路は、上記の無線通信回路が受信した濃度判定信号が「ガス濃度が所定濃度（指定数値）未満であることを示す信号（第２の濃度判定信号）」の場合には、スイッチ装置２３に、オン制御信号を送信する。
【００３９】
また、スイッチ装置２３は、電源に接続されていると共に、通信制御装置２１からの制御信号を受信し、受信した制御信号に応じて、オゾンガス発生器１０への電力の供給及び停止を行う電力制御回路（図示せず）により構成されている。
【００４０】
具体的には、スイッチ装置２３の電力制御回路は、通信制御装置２１からの制御信号が「オン制御信号」のときには、オゾンガス発生器１０への電力を供給する。これにより、オゾンガス発生器１０が駆動して（オン動作をして）、オゾンガスを発生させ、ダクト３にオゾンガスが注入される。
また、スイッチ装置２３の電力制御回路は、通信制御装置２１からの制御信号が「オフ制御信号」のときには、オゾンガス発生器１０への電力の供給を停止する。これにより、オゾンガス発生器１０が駆動を停止し（オフ動作となり）、ダクトへのオゾンガスの注入が停止される。
【００４１】
《ガス濃度センサ３０》
次に、ガス濃度センサ置３０（３０ａ、３０ｂ、３０ｃ、３０ｄ、３０ｅ）の説明を行う（図１参照）。
本実施形態では、所定エリアＳの床面ＦＬを基準にして高さ寸法が異なる、３つの高さのセンサ設置位置（第１の高さ寸法の設置位置、第２の高さ寸法の設置位置と、第３の高さ寸法の設置位置）が定められている（「第１の高さ寸法の設置位置」＜「第２の高さ寸法の設置位置」＜「第３の高さ寸法の設置位置」）。
例えば、第１の高さ寸法が「７０ｃｍ」で、第２の高さ寸法が「１５０ｃｍ」で、第３の高さ寸法が「２２０ｃｍ」になっている。
【００４２】
そして、第１の高さ寸法の設置位置（床面ＦＬから７０ｃｍの高さの位置）に、ガス濃度センサ３０ａと、ガス濃度センサ３０ｅとが設置されている。
また、第２の高さ寸法の設置位置（床面ＦＬから１５０ｃｍの高さの位置）に、ガス濃度センサ３０ｂと、ガス濃度センサ３０ｄとが設置されている。
また、第３の高さ寸法の設置位置（床面ＦＬから２２０ｃｍの高さの位置）に、ガス濃度センサ３０ｃが設置されている。
このように構成することで、高さが異なる複数の位置において、それぞれ、オゾンガス濃度をモニタリングすることができる。
【００４３】
なお、ガス濃度センサ３０ａ及びガス濃度センサ３０ｂは、所定エリアＳにおいて、熱交換器１ａに接続されたダクト３ａ２の吐出口４ａ１、４ａ２が配置されている側（図１では向かって左側）の位置に設置されている。
また、ガス濃度センサ３０ｃは、所定エリアＳの中心部（図１に示す左右方向の中心部）の位置に配置されている。
また、ガス濃度センサ３０ｄ及びガス濃度センサ３０ｅは、所定エリアＳにおいて、熱交換器１ｂに接続されたダクト３ｂ２の吐出口４ｂ１、４ｂ２が配置されている側（図１では向かって右側）の位置に設置されている。
【００４４】
また、図２に示すように、ガス濃度センサ３０は、センサ本体部３１と、オゾンガスの濃度を検知するセンサ素子３３とを備えている。また、ガス濃度センサ３０は、有線或いは無線により通信機器４０に接続されており、通信機器４０と各種情報の授受を行えるようになっている。
【００４５】
センサ素子３３は、オゾンガス濃度を検知し、センサ本体部３１に、オゾンガス濃度の値を示す検知信号を送信する。
【００４６】
センサ本体部３１は、ユーザからの各種設定を受け付ける入力部（図示せず）と、センサ素子からの検知信号が示すオゾンガス濃度が所定濃度（指定数値）以上であるか否かを判定する判定処理部（図示せず）と、センサ素子３３が検知したオゾンガス濃度を表示するための表示部３１ａとを有している。
【００４７】
入力部は、操作ボタン等で構成されており、ユーザからオゾンガス濃度の所定濃度（指定数値）の入力を受け付ける。この所定濃度（指定数値）は、オゾンガス発生器１０を動作させるか否かを判定するためのしきい値にするオゾンガス濃度である。本実施形態では、一例として、所定濃度（指定数値）を「０．０３ｐｐｍ」に設定している。
【００４８】
判定処理部は、ＣＰＵ、メモリ、ＩＯインタフェース及び通信インタフェースを有する専用回路により構成されており、メモリに入力部が受け付けた所定濃度（指定数値）を記憶させる共に、センサ素子３３から「センサ素子３３が検知した検知信号」を取得して、取得した検知信号が示すオゾンガス濃度が、記憶している所定濃度（指定数値）以上であるか否かを判定する。
そして、判定処理部は、検知信号が示すオゾンガス濃度が、記憶している所定濃度（指定数値）以上である場合には、通信機器４０に、ガス濃度が所定濃度（指定数値）以上であることを示す濃度判定信号（第１の濃度判定信号）」を送信する。
また、判定処理部は、検知信号が示すオゾンガス濃度が、記憶している所定濃度（指定数値）未満である場合には、通信機器４０に、ガス濃度が所定濃度（指定数値）未満であることを示す濃度判定信号（第２の濃度判定信号）」を送信する。
【００４９】
さらに、判定処理部は、取得した検知信号からオゾンガス濃度を示す画像情報を生成して、液晶ディスプレイ等で構成される表示部３１ａに出力する。表示部３１ａは、センサ３３が検知したオゾンガス濃度を示す画像情報を表示する（図２に示す例では、「０．０３４ｐｐｍ」を表示している）。
【００５０】
《通信機器４０》
次に、通信機器４０（４０ａ、４０ｂ、４０ｃ、４０ｄ、４０ｅ）の説明を行う（図１参照）。
本実施形態では、通信機器４０は、ガス濃度センサ３０毎に設けられている。
すなわち、通信機器４０ａがガス濃度センサ３０ａに対応して設けられ、通信機器４０ｂがガス濃度センサ３０ｂに対応して設けられ、通信機器４０ｃがガス濃度センサ３０ｃに対応して設けられ、通信機器４０ｄがガス濃度センサ３０ｄに対応して設けられ、通信機器４０ｅがガス濃度センサ３０ｅに対応して設けられている。
【００５１】
上記の通信機器４０は、制御装置２０の通信制御部２１と無線通信により各種情報の授受を行えるようになっており、ガス濃度センサ３０の判定処理部からの濃度判定信号を受信し、制御装置２０の通信制御部２１に、その受信した濃度判定信号を送信する。
【００５２】
具体的には、通信機器４０ａは、ガス濃度センサ３０ａから濃度判定信号を取得して、ガス濃度センサ３０ａに対応付けられているオゾンガス発生器１０ａを制御する制御装置２０ａに、無線通信により濃度判定信号を送信する。
通信機器４０ｂは、ガス濃度センサ３０ｂから濃度判定信号を取得して、ガス濃度センサ３０ｂに対応付けられているオゾンガス発生器１０ｂを制御する制御装置２０ｂに、無線通信により濃度判定信号を送信する。
【００５３】
また、通信機器４０ｃは、ガス濃度センサ３０ｃから濃度判定信号を取得して、ガス濃度センサ３０ｃに対応付けられている「オゾンガス発生器１０ｃ１を制御する制御装置２０ｃ１」及び「オゾンガス発生器１０ｃ２を制御する制御装置２０ｃ２」に、無線通信により濃度判定信号を送信する。
通信機器４０ｄは、ガス濃度センサ３０ｄから濃度判定信号を取得して、ガス濃度センサ３０ｄに対応付けられているオゾンガス発生器１０ｄを制御する制御装置２０ｄに、無線通信により濃度判定信号を送信する。
通信機器４０ｅは、ガス濃度センサ３０ｅから濃度判定信号を取得して、ガス濃度センサ３０ｅに対応付けられているオゾンガス発生器１０ｅを制御する制御装置２０ｅに、無線通信により濃度判定信号を送信する。
【００５４】
《ガス供給・濃度管理システムのオゾンガスの供給処理》
次に、ガス供給・濃度管理システムが行うオゾンガスの供給処理について説明する。
なお、以下では、説明の便宜上、建物の所定エリアＳにオゾンガスが供給されていない状態において、全ての（６台の）オゾンガス発生器１０（１０ａ、１０ｂ、１０ｃ１、１０ｃ２、１０ｄ、１０ｅ）を動作させて所定エリアＳにオゾンガスの供給を開始した場合を例にする。
【００５５】
全てのオゾンガス発生器１０（１０ａ、１０ｂ、１０ｃ１、１０ｃ２、１０ｄ、１０ｅ）を動作させて所定エリアＳにオゾンガスの供給を開始して、ある程度の時間が経過した状態において、所定エリアＳのオゾンガス濃度が上昇している状態になったとする。このような状態のときには、空気より比重が重いオゾンガスのオゾンガス濃度は、床面からの高さ寸法が低い位置から順次に大きな値になっていく。
そして、３つの高さのセンサ設置位置（第１の高さ寸法の設置位置、第２の高さ寸法の設置位置と、第３の高さ寸法の設置位置）のうち、第１の高さ寸法の設置位置（床面ＦＬから７０ｃｍの高さの位置）のオゾンガス濃度だけが所定濃度（指定数値）を「０．０３ｐｐｍ」を超えた値になったものとする（説明の便宜上「ケース１」という）。
【００５６】
「ケース１」の場合、第１の高さ寸法の設置位置（床面ＦＬから７０ｃｍの高さの位置）に設置されたガス濃度センサ３０ａ及びガス濃度センサ３０ｅは、いずれも「０．０３ｐｐｍ」以上のガス濃度を検知して、検知したガス濃度が所定濃度（指定数値）以上であると判定する。
そして、ガス濃度センサ３０ａ（ガス濃度センサ３０ｅ）は、通信機器４０ａ（通信機器４０ｅ）を介して、制御装置２０ａ（制御装置２０ｅ）に、「ガス濃度が所定濃度（指定数値）以上であることを示す濃度判定信号（第１の濃度判定信号）」を送信する。
制御装置２０ａ（制御装置２０ｅ）は、「ガス濃度が所定濃度（指定数値）以上であることを示す濃度判定信号（第１の濃度判定信号）」を受信すると、オゾンガス発生装置１０ａ（オゾンガス発生装置１０ｅ）への電力供給を停止して、オゾンガス発生装置１０ａ（オゾンガス発生装置１０ｅ）の動作を停止させる。
これにより、４台のオゾンガス発生機１０（１０ｂ、１０ｃ１、１０ｃ２、１０ｄ）を動作させたオゾンガスの供給処理になり、所定エリアＳのオゾンガス濃度の上昇が抑えられる（或いは、上昇が緩やかになる）。
【００５７】
また、オゾンガス発生装置１０ａ及びオゾンガス発生装置１０ｅの動作を停止させて、４台のオゾンガス発生機１０（１０ｂ、１０ｃ１、１０ｃ２、１０ｄ）を動作させたオゾンガスの供給に変更しても、所定エリアＳのオゾンガス濃度の上昇が続いたとする。そして、第２の高さ寸法の設置位置（床面ＦＬから１５０ｃｍの高さの位置）のオゾンガス濃度も所定濃度（指定数値）を「０．０３ｐｐｍ」を超えた値になったものとする（説明の便宜上「ケース２」という）。
【００５８】
「ケース２」の場合、第２の高さ寸法の設置位置（床面ＦＬから１５０ｃｍの高さの位置）に設置されたガス濃度センサ３０ｂ及びガス濃度センサ３０ｄは、いずれも「０．０３ｐｐｍ」以上のガス濃度を検知して、検知したガス濃度が所定濃度（指定数値）以上であると判定する。
そして、ガス濃度センサ３０ｂ（ガス濃度センサ３０ｄ）は、通信機器４０ｂ（通信機器４０ｄ）を介して、制御装置２０ｂ（制御装置２０ｄ）に、「ガス濃度が所定濃度（指定数値）以上であることを示す濃度判定信号（第１の濃度判定信号）」を送信する。
制御装置２０ｂ（制御装置２０ｄ）は、「ガス濃度が所定濃度（指定数値）以上であることを示す濃度判定信号（第１の濃度判定信号）」を受信すると、オゾンガス発生装置１０ｂ（オゾンガス発生装置１０ｄ）への電力供給を停止して、オゾンガス発生装置１０ｂ（オゾンガス発生装置１０ｄ）の動作を停止させる。
これにより、２台のオゾンガス発生機１０（１０ｃ１、１０ｃ２）を動作させたオゾンガスの供給処理になり、さらに、所定エリアＳのオゾンガス濃度の上昇が抑えられる（或いは、上昇が緩やかになる）。
【００５９】
また、オゾンガス発生装置１０ｂ及びオゾンガス発生装置１０ｄの動作を停止させて、２台のオゾンガス発生機１０（１０ｃ１、１０ｃ２）を動作させたオゾンガスの供給に変更したことにより所定エリアＳのオゾンガス濃度が減少してきたとする。この場合、第２の高さ寸法の設置位置（床面ＦＬから１５０ｃｍの高さの位置）のオゾンガス濃度が、第１の高さ寸法の設置位置（床面ＦＬから７０ｃｍの高さの位置）のオゾンガス濃度よりも先に小さい値になっていく。そして、第２の高さ寸法の設置位置（床面ＦＬから１５０ｃｍの高さの位置）のオゾンガス濃度が所定濃度（指定数値）を「０．０３ｐｐｍ」未満の値になったものとする（説明の便宜上「ケース３」という）。
【００６０】
「ケース３」の場合、第２の高さ寸法の設置位置（床面ＦＬから１５０ｃｍの高さの位置）に設置されたガス濃度センサ３０ｂ及びガス濃度センサ３０ｄは、いずれも「０．０３ｐｐｍ」未満のオゾンガス濃度を検知して、検知したオゾンガス濃度が所定濃度（指定数値）未満であると判定する。
そして、ガス濃度センサ３０ｂ（ガス濃度センサ３０ｄ）は、通信機器４０ｂ（通信機器４０ｄ）を介して、制御装置２０ｂ（制御装置２０ｄ）に、「ガス濃度が所定濃度（指定数値）未満であることを示す濃度判定信号（第２の濃度判定信号）」を送信する。
制御装置２０ｂ（制御装置２０ｄ）は、「ガス濃度が所定濃度（指定数値）未満であることを示す濃度判定信号（第２の濃度判定信号）」を受信すると、オゾンガス発生装置１０ｂ（オゾンガス発生装置１０ｄ）を動作させて電力供給を開始する。
【００６１】
一方、オゾンガス発生装置１０ｂ及びオゾンガス発生装置１０ｄの動作を停止させても、所定エリアＳのオゾンガス濃度の上昇が続いて、第３の高さ寸法の設置位置（床面ＦＬから２２０ｃｍの高さの位置）のオゾンガス濃度も所定濃度（指定数値）が「０．０３ｐｐｍ」を超えた値になったものとする（説明の便宜上「ケース４」という）。
【００６２】
「ケース４」の場合、第３の高さ寸法の設置位置（床面ＦＬから２２０ｃｍの高さの位置）に設置されたガス濃度センサ３０ｃは、「０．０３ｐｐｍ」以上のガス濃度を検知して、検知したガス濃度が所定濃度（指定数値）以上であると判定する。
そして、ガス濃度センサ３０ｃは、通信機器４０ｃを介して、制御装置２０ｃ１及び制御装置２０ｃ２に、「ガス濃度が所定濃度（指定数値）以上であることを示す濃度判定信号（第１の濃度判定信号）」を送信する。
制御装置２０ｃ１（制御装置２０ｃ２）は、「ガス濃度が所定濃度（指定数値）以上であることを示す濃度判定信号（第１の濃度判定信号）」を受信すると、オゾンガス発生装置１０ｃ１（オゾンガス発生装置１０ｃ２）への電力供給を停止して、オゾンガス発生装置１０ｂ（オゾンガス発生装置１０ｄ）の動作を停止させる。
【００６３】
「ケース４」の場合、全てのオゾンガス発生器１０（１０ａ、１０ｂ、１０ｃ１、１０ｃ２、１０ｄ、１０ｅ）の動作が停止することになるため、ある程度の時間が経過すると、所定エリアＳのオゾンガス濃度が減少している状態になる。このような状態のときには、空気より比重が重いオゾンガスのガス濃度は、床面からの高さ寸法が高い位置から順次に小さな値になっていく。そのため、第３の高さ寸法の設置位置（床面ＦＬから２２０ｃｍの高さの位置）に設置されたガス濃度センサ３０ｃが、最初に、検知したガス濃度が所定濃度（指定数値）未満であると判定するようになり、ガス濃度センサ３０ｃに対応付けられているオゾン発生器１０ｃ１、１０ｃ２から動作を開始するようになる。
【００６４】
なお、上述した「ケース１」では、同じ高さに設置されている「ガス濃度センサ３０ａ及びガス濃度センサ３０ｅ」が共に、オゾンガス濃度が所定濃度（指定数値）以上であると判定しているが、これは一例である。不特定多数の人が出入りする広域な空間では、同じ高さであっても、その位置にいる人の数や動線により、オゾンガス濃度がばらつくことがある。本実施形態では、例えば、ガス濃度センサ３０ａの設置位置のオゾンガス濃度だけが所定濃度（指定数値）以上になっているときには、ガス濃度センサ３０ａに対応付けられているオゾンガス発生器１０ａだけ停止させることができる。すなわち、本実施形態の構成によれば、不特定多数の人が出入りする広域な空間においても、高精度に、濃度管理を行いながら、オゾンガスを供給することができる。
【００６５】
以上説明したように、本実施形態によれば、床面ＦＬからの高さが異なる複数の位置において（複数の高さのポイントで）、オゾンガス濃度をモニタリングして、オゾンガス発生器１０のオン・オフ動作を制御しているため、特定多数の人が多く集まる施設の建物内の大きなエリア（空間）等においても、オゾンガス濃度が、所定濃度条件を満たすように、オゾンガスを供給することができる。
【００６６】
なお、本発明は、上述した実施形態に限定されるものではなく、その要旨の範囲内において種々の変更が可能である。
【００６７】
例えば、上述した実施形態では、オゾンガス発生器１０は、熱交換器１（１ａ、１ｂ）に接続されたダクト３にオゾンガスを注入するようになっており、熱交換器１（１ａ、１ｂ）が床置ダクトタイプのエアコンである場合を例示しているが、特にこれに限定されるものではない。
例えば、床置ダクトタイプのエアコンではなく、天井埋め込み型のダクトタイプのエアコンであってもよい。また、例えば、所定エリアＳに、熱交換するエアコン（空調機）を用いた空調システムではなく、単に外気を吸気するダクトを用いた換気システム（熱交換しない換気扇（空調機）を備えた空調システム）においても、本実施形態を適用することができる。
【００６８】
また、上述した実施形態では、所定エリアＳの床面ＦＬを基準にして高さ寸法が異なる、３つの高さのセンサ設置位置（第１の高さ寸法の設置位置、第２の高さ寸法の設置位置と、第３の高さ寸法の設置位置）に、ガス濃度センサ３０を設置しているが特にこれに限定されるものではない。所定エリアＳに、高さが異なる４種以上の設置位置が設けられていても良いし、高さが異なる２種の設置位置が設けられていてもよい。ガス濃度センサ３０を設置する高さは、オゾンガスＳを供給する所定エリアＳの容積、レイアウト、人の動線、ショーケースや棚等の設置物やその配置等に応じて適宜設計される。
【００６９】
また、上述した実施形態では、オゾンガス発生器１０毎に、そのオゾンガス発生器１０を制御する制御装置２０を設けていたが、特にこれに限定されるものではない。１台の制御装置２０が、複数のオゾンガス発生器１０のオン・オフ動作を制御できるように構成しても良い。
【００７０】
また、上述した実施形態では、オゾンガス濃度センサ３０と、通信機器４０とが別体の装置になっているが、特にこれに限定されるものではない。通信機器４０を設けずに、オゾンガス濃度センサ３０に無線通信機能を設けるようにしても良い。このようにすると、通信機器４０の設置スペースが不要になる。
【００７１】
また、上述した実施形態では、オゾンガス濃度センサ３０毎に、通信機器４０を設けていたが、特にこれに限定されるものではない。１台の通信機器４０に、複数の通信機器４０の機能を集約した構成にしても良い。この場合、１台の通信機器４０が、各オゾンガス濃度センサ３０からそれぞれ濃度判定信号を受信し、各オゾンガス濃度センサ３０に対応付けられているオゾンガス発生器１０を制御する制御装置２０に対して、対応する濃度判定信号を送信する。
【００７２】
Ｓ…所定エリア
ＦＬ…床面
１、１ａ、１ｂ…熱交換器
３、３ａ１、３ａ２、３ｂ１、３ｂ２…ダクト
４ａ１、４ａ２、４ｂ１、４ｂ２…吐出口
５ａ、５ｂ…吐入口
１０、１０ａ、１０ｂ、１０ｃ１、１０ｃ２、１０ｄ、１０ｅ…オゾンガス発生器
１１…装置本体部（オゾンガス発生器）
１１ａ…吹出口（オゾンガス発生器）
１３…オゾンガス注入管（オゾンガス発生器）
２０、２０ａ、２０ｂ、２０ｃ１、２０ｃ２、２０ｄ、２０ｅ…制御装置
２１…通信制御部（制御装置）
２３…スイッチ装置（制御装置）
３０、３０ａ、３０ｂ、３０ｃ、３０ｄ、３０ｅ…オゾンガス濃度センサ
３１…センサ本体部（オゾンガス濃度センサ）
３１ａ…表示部（オゾンガス濃度センサ）
３３…センサ素子（オゾンガス濃度センサ）
４０、４０ａ、４０ｂ、４０ｃ、４０ｄ、４０ｅ…通信機器
【要約】
【課題】空気と異なる比重のガスのガス濃度の管理を行いながら、建物の所定エリアに当該ガスを供給するガス供給・濃度管理システムを提供する。
【解決手段】所定エリアＳに空気と比重が異なるガスを供給するガス供給・濃度管理システムであって、複数のガス発生器１０と、ガス発生器１０のオン・オフ動作を制御する制御装置２０と、複数のガス濃度センサ３０とを有している。所定エリアＳには、高さ寸法が異なる、複数の高さのセンサ設置位置が設けられ、複数の高さのセンサ設置位置のいずれにも、ガス濃度センサ２０が設置されている。ガス濃度センサは、検知したガス濃度が所定濃度以上であるか否を判定し、ガス濃度が所定濃度以上であるか否を示す濃度判定信号を出力するようになっている。制御装置２０は、ガス濃度センサ３０が判定した濃度判定信号を用いて、ガス発生器１０のオン・オフ動作を制御する。
【選択図】図１【図１】
0006857925.tif 000002
【図２】
0006857925.tif 000003